(57)【要約】【課題】家禽を産卵部屋内部から追い出す際に、残っていた卵の破卵を防ぐことができる家禽の集卵用ネストを提供する。【解決手段】家禽が産卵する場所であり、床面３６が傾斜して形成されている産卵部屋３４と、産卵部屋３４の床面３６の傾斜方向の下方に配置され、床面を転がり落ちる卵を受けて卵を搬送する搬送ベルト３２と、産卵部屋３４の床面３６の傾斜方向の上方側において、産卵部屋３４への家禽の出入口３８とが設けられた集卵用ネスト３０において、産卵部屋３４にいる家禽を出入口３８から追い出すための追出手段と、追出手段によって家禽を追い出す前に、産卵部屋３４の床面３６に残っている卵を搬送ベルト３２へ転がり落とさせる卵回収手段とを備える。【選択図】図１
2011015613.tif 000002
【特許請求の範囲】
【請求項１】
家禽が産卵する場所であり、床面が傾斜して形成されている産卵部屋と、
前記産卵部屋の床面の傾斜方向の下方に配置され、床面を転がり落ちる卵を受けて卵を搬送する搬送ベルトと、
前記産卵部屋の床面の傾斜方向の上方側において、産卵部屋への家禽の出入口とが設けられた集卵用ネストにおいて、
前記産卵部屋にいる家禽を前記出入口から追い出すための追出手段と、
前記追出手段によって家禽を追い出す前に、産卵部屋の床面に残っている卵を前記搬送ベルトへ転がり落とさせる卵回収手段とを備えることを特徴とする家禽の集卵用ネスト。
【請求項２】
前記床面は、床面の傾斜角を変更可能に動作させるために、搬送ベルト側に位置する支持部を支点として回動可能に設けられており、
前記卵回収手段は、床面の出入口側を上昇させることによって床面の傾斜角を大きくすることにより、床面に残っている卵を前記搬送ベルトへ転がり落とさせることを特徴とする請求項１記載の家禽の集卵用ネスト。
【請求項３】
前記床面の下方に、床面の下面に当接して床面を上昇させる動作板が設けられ、
前記床面は、出入口側端部が、軸線が水平方向に延びる第１の回動軸を中心にして前記動作板に回動可能に設けられ、
前記動作板は、出入口側端部が、床面の第１の回動軸の位置よりも出入口側に位置して軸線が水平方向に延びる第２の回動軸を中心にして回動可能に設けられ、
前記床面は、前記支持部が載置されている部位に対して離間可能に設けられ、
前記動作板を上昇させるべく動作板から上方に延びるワイヤが設けられ、
該ワイヤを巻き取るためのワイヤ巻き取り部が設けられ、
ワイヤ巻き取り部を回動させるモータが設けられ、
前記モータが駆動してワイヤ巻き取り部が回動すると、前記ワイヤがワイヤ巻き取り部に巻き取られ、ワイヤが巻き取られることにより前記動作板が第２の回動軸を中心に回動して、第１の回動軸を上昇させて前記床面の出入口側を上昇させ卵を搬送ベルトに転がり落とさせ、動作板が床面の下面に当接すると床面が動作板と一体に第２の回動軸を中心に回動して産卵部屋内の家禽を追い出すことを特徴とする請求項１または請求項２記載の家禽の集卵用ネスト。
【発明の詳細な説明】
【技術分野】
【０００１】
本発明は家禽の卵を集卵するために用いられる集卵用ネストに関する。
【背景技術】
【０００２】
養鶏場等において鶏に卵を産ませる場合、集卵用ネストが用いられることが一般的である。
従来より知られている集卵用ネストについて、図６に基づいて説明する。
ここで説明する集卵用ネストは、平飼いの鶏舎内に配置され、養鶏の産卵場所として設けられているものである。
【０００３】
集卵用ネスト１０は、鶏舎の長手方向に沿って移動する集卵用のベルトコンベア１１と、ベルトコンベア１１の両側に配置された産卵部屋１２と、産卵部屋１２およびベルトコンベア１１の上方を覆う屋根１３とを備えている。
産卵部屋１２へは養鶏が自由に出入りできるように設けられている。
【０００４】
産卵部屋１２の床面には、床網１４が配置されており、産卵部屋１２に入ってきた養鶏はこの床網１４の上で産卵をする。
床網１４はベルトコンベア１１に向けて若干傾斜して配置されているので、産卵された卵は、ベルトコンベア１１に向けて転がる。産卵部屋１２から転がってきた卵は、ベルトコンベア１１に載せられて一箇所に集卵される（例えば、特許文献１、特許文献２参照）。
【０００５】
なお、上述してきたような集卵用ネスト１０においては、養鶏が産卵部屋１２に居座ってしまうことがある。すると、次に産卵したい養鶏が産卵部屋１２に入れなくなるので、養鶏の産卵部屋１２での居座りを防止することが要望されていた。
そこで、床網１４を出入口方向に持ち上げたり、あるいは壁１５を移動させて養鶏を産卵部屋１２から追い出す追い出し機能が従来より採用されていた（非特許文献１、非特許文献２参照）。
【先行技術文献】
【特許文献】
【０００６】
【特許文献１】特開平９−１７２８９９号公報
【特許文献２】特開２００７−１４２１６号公報
【非特許文献】
【０００７】
【非特許文献１】東西産業貿易株式会社  ベンコマチック平飼い用自動化システム  ｐ２−ｐ３  [online]  [平成２１年６月２９日検索]  インターネット＜ＵＲＬ：http://www.tohzai-sangyo.co.jp/benko2.pdf＞
【非特許文献２】大宮製作所  平飼ネストシステム  “ヤンセンの豊富な機能  独自の追い出し装置〜エクスペルシステム〜”  [online]  [平成２１年６月２９日検索]  インターネット＜ＵＲＬ：http://www.omiya-ss.co.jp/pro_tbjansen.html#jan_siyo＞
【発明の概要】
【発明が解決しようとする課題】
【０００８】
追い出し機能によって、養鶏が産卵部屋内に居座ることはなくなる。しかし、追い出し機能として床網が出入口方向に傾いた場合には、床網に卵が残っていると、居残っていた養鶏によってつぶされてしまったり、出入口方向に転がってしまう等、破卵のおそれがあるという課題がある。
また、壁が移動して養鶏を追い出す場合も同様に、床網に卵が残っていると、居残っていた養鶏によってつぶされてしまったり、移動する壁によってつぶされる等、破卵のおそれがあるという課題がある。
【０００９】
そこで本発明は上記課題を解決すべくなされ、その目的とするところは、家禽を産卵部屋内部から追い出す際に、残っていた卵の破卵を防ぐことができる家禽の集卵用ネストを提供することにある。
【課題を解決するための手段】
【００１０】
本発明にかかる家禽の集卵用ネストによれば、家禽が産卵する場所であり、床面が傾斜して形成されている産卵部屋と、前記産卵部屋の床面の傾斜方向の下方に配置され、床面を転がり落ちる卵を受けて卵を搬送する搬送ベルトと、前記産卵部屋の床面の傾斜方向の上方側において、産卵部屋への家禽の出入口とが設けられた集卵用ネストにおいて、前記産卵部屋にいる家禽を前記出入口から追い出すための追出手段と、前記追出手段によって家禽を追い出す前に、産卵部屋の床面に残っている卵を前記搬送ベルトへ転がり落とさせる卵回収手段とを備えることを特徴としている。
この構成を採用することによって、家禽を産卵部屋から追い出す前に、床面に残っている卵を転がり落とさせるので、家禽の追い出し時における破卵を防止することができる。
【００１１】
また、前記床面は、床面の傾斜角を変更可能に動作させるために、搬送ベルト側に位置する支持部を支点として回動可能に設けられており、前記卵回収手段は、床面の出入口側を上昇させることによって床面の傾斜角を大きくすることにより、床面に残っている卵を前記搬送ベルトへ転がり落とさせることを特徴としてもよい。
【００１２】
なお、前記床面の下方に、床面の下面に当接して床面を上昇させる動作板が設けられ、前記床面は、出入口側端部が、軸線が水平方向に延びる第１の回動軸を中心にして前記動作板に回動可能に設けられ、前記動作板は、出入口側端部が、床面の第１の回動軸の位置よりも出入口側に位置して軸線が水平方向に延びる第２の回動軸を中心にして回動可能に設けられ、前記床面は、前記支持部が載置されている部位に対して離間可能に設けられ、前記動作板を上昇させるべく動作板から上方に延びるワイヤが設けられ、該ワイヤを巻き取るためのワイヤ巻き取り部が設けられ、ワイヤ巻き取り部を回動させるモータが設けられ、前記モータが駆動してワイヤ巻き取り部が回動すると、前記ワイヤがワイヤ巻き取り部に巻き取られ、ワイヤが巻き取られることにより前記動作板が第２の回動軸を中心に回動して、第１の回動軸を上昇させて前記床面の出入口側を上昇させ卵を搬送ベルトに転がり落とさせ、動作板が床面の下面に当接すると床面が動作板と一体に第２の回動軸を中心に回動して産卵部屋内の家禽を追い出すことを特徴としてもよい。
この構成によれば、動作板の一方方向への回動動作により、連続して床面を搬送ベルト方向への傾斜と出入口方向への傾斜を行うことができるので、簡単な構成で容易に卵回収と家禽追い出しを実現できる。このため、大幅なコスト増加を伴わずに破卵を防止することができる。
また、床面が搬送ベルト方向に傾斜してから、出入口方向に傾斜するので、床面が搬送ベルト方向に傾斜したことで家禽に追い出し手段が動作したことを知らせることができ、家禽を無事に追い出すこともできる。
【発明の効果】
【００１３】
本発明にかかる家禽の集卵用ネストによれば、家禽を追い出す際の破卵を防止することができる。
【図面の簡単な説明】
【００１４】
【図１】家禽の集卵用ネストの全体構成を示す側面図である。
【図２】図１に示す家禽の集卵用ネストを横方向に２つ接続したところを示す正面図である。
【図３】床網と動作板を詳細に説明するための説明図である。
【図４】卵回収手段を動作させたところを示す説明図である。
【図５】追出手段を動作させたところを示す説明図である。
【図６】従来の集卵用ネストの説明図である。
【発明を実施するための形態】
【００１５】
家禽の集卵用ネストの全体構成について説明する。
図１に本実施形態の集卵用ネストの側面図を、図２に正面図を示す。図１は集卵した卵の搬送方向正面からみたところであり、図２では卵の搬送方向は紙面横方向となっている。また、図２では、横方向に２つの集卵用ネストを接続したところを示している。さらに、産卵部屋３４の出入口３８の具体的構成については省略している。
【００１６】
本実施形態の集卵用ネスト３０は、家禽としての鶏に卵を産ませ、産ませた卵を自動的に集めるために鶏舎内に配置される構造物である。本実施形態では、集卵用ネスト３０は、ブロイラーの種卵を採集するために用いているが、特にこのような場合に限定されるものではない。
なお、本発明の集卵用ネストは、対象となる家禽として鶏以外にも、ウズラ、七面鳥、アヒル、ガチョウ等にも採用できる。
【００１７】
集卵用ネスト３０は、所定の間隔で配置された脚２１と、脚２１どうしの間に掛け渡された根太２２とを備えている。根太２２の上方には、根太２２と同様に脚２１どうしの間に掛け渡されたベース台２４が配置されている。
また、ベース台から上方に向けて、側面を仕切る仕切部２９が配置されており、仕切部２９の上端部には、仕切部２９どうしの間に掛け渡された梁２５が設けられており、梁２５の上方には屋根２６が設けられている。
【００１８】
集卵用ネスト３０は、鶏舎の長手方向に沿って卵を搬送する搬送ベルト３２を備えている。搬送ベルト３２は、無端条に形成されたベルトが複数のローラに掛け渡されて駆動するように設けられている。
搬送ベルト３２の進行方向に対して両側に、鶏に卵を産ませるための産卵部屋３４が、搬送ベルト３２を挟んで向かいあって設けられている。なお、本実施形態では、搬送ベルト３２の両側に産卵部屋３４が設けられているが、搬送ベルト３２の片側のみに産卵部屋３４が設けられている構成であってもよい。
【００１９】
産卵部屋３４は、搬送ベルト３２側にガード板２７が設けられており、鶏が搬送ベルト３２に落下しないように設けられている。ガード板２７の下方と産卵部屋３４の底面との間は、卵だけ通過できる程度の大きさに形成された卵排出口３３が設けられている。産卵部屋３４で産卵された卵は、卵排出口３３から、搬送ベルト３２の上に転がり落ちる。
【００２０】
産卵部屋３４のガード板２７と向かいあう位置には、産卵部屋３４内へ鶏が出入りするための出入口３８が設けられている。出入口３８は、壁の一部が開口して構成され、この開口部上端付近から下方に向けて垂れ下がったのれん状の部材によって構成されている。
【００２１】
産卵部屋３４の底面は、搬送ベルト３２側が下方となるように傾斜して配置された床網３６が設けられている。床網３６は、網状であるので鶏の糞等を下方に落下させることができる。なお、図示していないが、床網３６は産卵された卵が破卵しないように、衝撃吸収性のある材質で表面が覆われていてもよいし、マットなどにより搬送ベルト３２側へ転がりやすく破卵しにくい部材を使用するとよい。
【００２２】
図３に床網と動作板の構造の拡大図を示す。
床網３６は、ベース台２４に上方に向けて突出するように設置された複数のベース３７ａ、３７ｂによって下面が保持されている。各ベース３７ａ、３７ｂの上面は、通常時（産卵部屋３４内で鶏が卵を産める状態）の傾斜角と同じ傾斜角の斜面となっている。ベース３７ａが床網３６の搬送ベルト３２側端部を保持し、ベース３７ｂが床網３６の搬送ベルト３２側と出入口３８側のほぼ中間を保持している。床網３６の出入口３８側端部は、ベースではなく、後述する動作板４２に取り付けられている。
なお、各ベース３７ａ，３７ｂに対し、床網３６は載置されているだけであり、固定されてはいない。
【００２３】
この複数のベース３７ａ、３７ｂの高さが異なるため、床網３６は傾斜して配置される。本実施形態では、搬送ベルト３２側に設けられたベース３７ａは、搬送ベルト３２側と出入口３８側との中間に設けられたベース３７ｂよりもその高さが低く形成されている。このため、複数のベース３７ａ，３７ｂの上に載置された床網３６は、搬送ベルト３２側が下方となるように傾斜している。ちなみに、本実施形態では、通常時（産卵部屋３４内で鶏が卵を産める状態）の傾斜角が６．５°となるように、各ベース３７ａ，３７ｂの高さが設定されている。
【００２４】
床網３６の下面には、各ベース３７ａ，３７ｂに当接して床網３６を支持する支持部３９ａ，３９ｂが設けられている。各支持部３９ａ，３９ｂは、ベース３７ａ，３７ｂの上面に当接するコの字状の金属製の部材である。各支持部３９ａ，３９ｂは、コの字の一端部と他端部とが傾斜方向に沿って配置されている。
【００２５】
したがって、各ベース３７ａ，３７ｂ上に床網３６が載置されている場合において、出入口３８側が上昇すると、床網３６は支持部３９ａのコの字の一端部を支点として回動し、床網３６の傾斜角が大きくなる。
このように、床網３６の傾斜角を大きくした場合（例として１１．５°）においては、通常時の６．５°の傾斜角では転がらなかった卵であっても容易に転がり落とすことができる。
【００２６】
なお、床網３６の支持部３９ａの支点としては、回動シャフトが設けられていてもよく、床網３６の下面において、ベース３７ａの上面との間で角度変更が可能であればよい。
【００２７】
床網３６の下方には、動作板４２が設けられている。動作板４２は、出入口３８側の端部が仕切部２９の側面に、第２の回動軸４４によって回動可能に取り付けられている。第２の回動軸４４は、軸線方向が搬送ベルト３２の搬送方向に沿った水平方向を向いている。
さらに、動作板４２の第２の回動軸４４よりも搬送ベルト３２側の位置には、床網３６の出入口３８方向の端部が第１の回動軸４５を介して取り付けられている。第１の回動軸４５は、軸線方向が搬送ベルト３２の搬送方向に沿った水平方向を向いている。このため、床網３６は動作板４２に対して出入口３８側端部を中心に回動できる。
【００２８】
動作板４２の搬送ベルト３２側の端部には、動作板４２を動作させるためのワイヤ４６が接続されている。
ワイヤ４６は、仕切部２９と梁２５の連結部分に配置されたワイヤ巻き取り部４８から延出されている。ワイヤ巻き取り部４８は、搬送ベルト３２の搬送方向に沿って延びるシャフトであり、このシャフトがモータ５０によって回転駆動させられる。シャフトが回転すると、延びているワイヤ４６を巻き上げ、動作板４２の搬送ベルト３２側の端部が上昇させられる。
【００２９】
動作板４２の動作と床網３６の動作について、図３〜図５に基づいて説明する。
モータ５０が駆動してワイヤ４６が巻き上げられると、動作板４２の出入口３８側の端部の第２の回動軸４４を中心にして動作板４２は回動して、搬送ベルト３２側の端部が上昇する。このとき、動作板４２の回動に伴って、動作板４２の中途部に第１の回動軸４５（床網３６の出入口３８側の端部）を介して取り付けられた床網３６の出入口３８側の端部が上昇する。
【００３０】
床網３６の出入口３８側の端部が上昇すると、床網３６は、支持部３９ａの一端部を支点として回動および搬送ベルト３２方向へ若干スライド移動する。このため、床網３６は、徐々に傾斜角を増していく。傾斜角が大きくなることにより、産卵部屋３４内に残っている卵を搬送ベルト３２へ転がり落とすことができる。
なお、動作板４２の上面全体が床網３６の下面に当接した時点で、床網３６の支持部３９ａを支点とした回動動作は終了するが（図４の状態）、この状態で動作が所定時間停止するようにモータ５０によって電気的な制御がされる。このように、床網３６の傾斜角が最も大きい位置で所定時間停止することにより、床網３６の表面にとどまっている卵を確実に搬送ベルト３２へ転がり落とすことができる。
【００３１】
このように追い出し動作が行われる前に床網３６の傾斜角が大きくなるので、鶏に追い出しが行われることを前もって知らせることができる。したがって、このような動作を学習した鶏は、一旦停止している間に鶏は出入り口３８から外へ逃げることもできる。
【００３２】
動作板４２は、動作板４２の上面全体が床網３６の下面に当接した後に所定時間その位置で停止した後、さらに同一方向にワイヤ４６によって牽引されることで、床網３６を動作板４２下から押し上げて床網３６を動作板４２の動作と一体に回動させる。
動作板４２は、第２の回動軸４４を中心に回動し続け、これに伴って床網３６も第２の回動軸４４を中心に出入口３８側に傾くように回動する。
【００３３】
動作板４２は、鶏が産卵部屋３４内には居られない程度の角度にまで起き上がったのち（図５の状態）、今までの回動方向と逆方向に動作する。すなわち、鶏を追い出した後は床網３６が初期位置にまで戻るように、搬送ベルト３２側が下方に傾斜するように回動する。
床網３６が初期位置（図３の状態）にまで戻ると動作板４２の動作は終了する。
【００３４】
なお、モータ５０には、モータ制御部（図示せず）が接続されており、モータ５０の駆動開始時刻およびワイヤ巻き取り部４８が所定の回転数だけ回転した後に停止し、その後所定回転数逆回転するようにあらかじめ設定されている。
具体的には、モータ制御部は何時間間隔でモータ５０を駆動させるかあらかじめ設定されている。例えば１日２回〜３回程度駆動して鶏を追い出すようにすればよい。
また、動作板４２の最大起き上がり位置までワイヤを引っ張るためには、どの程度モータを回転させれば良いかを算出しておき、この算出された回転数だけモータを駆動させた後、再度同じ回転数だけ逆回転させるようにモータ制御部に設定がされている。
【００３５】
上述してきた実施形態では、１つの駆動手段（モータ５０）による同一の動作によって、追出手段と卵回収手段の双方を駆動させることができる。したがって、簡単な構成でコストをかけずに鶏の追い出しと卵の回収を実行することができる。
【００３６】
なお、本発明としては上述してきた実施形態に限定することはない。
例えば、鶏を産卵部屋３４から追い出す追出手段が、床網３６が出入口３８側に傾くのではなく、ガード板２７が出入口３８側に移動して鶏を追い出すようにしてもよい。この場合においても、ガード板２７の動作前に卵回収手段として、床網３６の搬送ベルト３２に対する傾斜角をさらに大きくする構成を採用することができる。
【符号の説明】
【００３７】
２１  脚
２２  根太
２４  ベース台
２５  梁
２６  屋根
２７  ガード板
２９  仕切部
３０  集卵用ネスト
３２  搬送ベルト
３３  卵排出口
３４  産卵部屋
３６  床網
３７ａ，３７ｂ  ベース
３８  出入口
３９ａ，３９ｂ  支持部
４２  動作板
４４  第２の回動軸
４５  第１の回動軸
４６  ワイヤ
４８  ワイヤ巻き取り部
５０  モータ
【図１】
2011015613.tif 000003
【図２】
2011015613.tif 000004
【図３】
2011015613.tif 000005
【図４】
2011015613.tif 000006
【図５】
2011015613.tif 000007
【図６】
2011015613.tif 000008
【手続補正書】
【提出日】平成22年4月5日(2010.4.5)
【手続補正１】
【補正対象書類名】明細書
【補正対象項目名】００１０
【補正方法】変更
【補正の内容】
【００１０】
本発明にかかる家禽の集卵用ネストによれば、家禽が産卵する場所であり、床面が傾斜して形成されている産卵部屋と、前記産卵部屋の床面の傾斜方向の下方に配置され、床面を転がり落ちる卵を受けて卵を搬送する搬送ベルトと、前記産卵部屋の床面の傾斜方向の上方側において、産卵部屋への家禽の出入口とが設けられた集卵用ネストにおいて、前記床面は、床面の傾斜角を変更可能に動作させるために、搬送ベルト側に位置する支持部を支点として回動可能に設けられており、前記卵回収手段は、床面の出入口側の端部を上昇させることによって床面の傾斜角を大きくすることにより、床面に残っている卵を前記搬送ベルトへ転がり落とさせるように設けられており、前記床面の下方に、床面の下面に当接して床面を上昇させる動作板が設けられ、前記床面は、出入口側端部が、軸線が水平方向に延びる第１の回動軸を中心にして前記動作板に回動可能に設けられ、前記動作板は、出入口側端部が、床面の第１の回動軸の位置よりも出入口側に位置して軸線が水平方向に延びる第２の回動軸を中心にして回動可能に設けられ、前記床面は、前記支持部が載置されている部位に対して離間可能に設けられ、前記動作板を上昇させるべく動作板から上方に延びるワイヤが設けられ、該ワイヤを巻き取るためのワイヤ巻き取り部が設けられ、ワイヤ巻き取り部を回動させるモータが設けられ、前記モータが駆動してワイヤ巻き取り部が回動すると、前記ワイヤがワイヤ巻き取り部に巻き取られ、ワイヤが巻き取られることにより前記動作板が第２の回動軸を中心に回動して、第１の回動軸を上昇させて前記床面の出入口側の端部を上昇させ卵を搬送ベルトに転がり落とさせ、動作板が床面の下面に当接すると床面が動作板と一体に第２の回動軸を中心に回動して産卵部屋内の家禽を追い出すことを特徴とする。
この構成を採用することによって、家禽を産卵部屋から追い出す前に、床面に残っている卵を転がり落とさせるので、家禽の追い出し時における破卵を防止することができる。
また、この構成によれば、動作板の一方方向への回動動作により、連続して床面を搬送ベルト方向への傾斜と出入口方向への傾斜を行うことができるので、簡単な構成で容易に卵回収と家禽追い出しを実現できる。このため、大幅なコスト増加を伴わずに破卵を防止することができる。また、床面が搬送ベルト方向に傾斜してから、出入口方向に傾斜するので、床面が搬送ベルト方向に傾斜したことで家禽に追い出し手段が動作したことを知らせることができ、家禽を無事に追い出すこともできる。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
家禽が産卵する場所であり、床面が傾斜して形成されている産卵部屋と、
前記産卵部屋の床面の傾斜方向の下方に配置され、床面を転がり落ちる卵を受けて卵を搬送する搬送ベルトと、
前記産卵部屋の床面の傾斜方向の上方側において、産卵部屋への家禽の出入口とが設けられた集卵用ネストにおいて、
前記床面は、床面の傾斜角を変更可能に動作させるために、搬送ベルト側に位置する支持部を支点として回動可能に設けられており、
床面の出入口側の端部を上昇させることによって床面の傾斜角を大きくすることにより、床面に残っている卵を前記搬送ベルトへ転がり落とさせるように設けられており、
前記床面の下方に、床面の下面に当接して床面を上昇させる動作板が設けられ、
前記床面は、出入口側端部が、軸線が水平方向に延びる第１の回動軸を中心にして前記動作板に回動可能に設けられ、
前記動作板は、出入口側端部が、床面の第１の回動軸の位置よりも出入口側に位置して軸線が水平方向に延びる第２の回動軸を中心にして回動可能に設けられ、
前記床面は、前記支持部が載置されている部位に対して離間可能に設けられ、
前記動作板を上昇させるべく動作板から上方に延びるワイヤが設けられ、
該ワイヤを巻き取るためのワイヤ巻き取り部が設けられ、
ワイヤ巻き取り部を回動させるモータが設けられ、
前記モータが駆動してワイヤ巻き取り部が回動すると、前記ワイヤがワイヤ巻き取り部に巻き取られ、ワイヤが巻き取られることにより前記動作板が第２の回動軸を中心に回動して、第１の回動軸を上昇させて前記床面の出入口側の端部を上昇させ卵を搬送ベルトに転がり落とさせ、動作板が床面の下面に当接すると床面が動作板と一体に第２の回動軸を中心に回動して産卵部屋内の家禽を追い出すことを特徴とする家禽の集卵用ネスト。